(57)【要約】【課題】３種類の光ディスクに対応可能に設けられるとともに２つの対物レンズを備える光ピックアップの薄型化を図る。【解決手段】第１の光ディスクと、第２の光ディスクと、第３の光ディスクとに対応可能な光ピックアップは、第１の光ディスクに対応する場合に使用される第１の対物レンズ１７と、第２の光ディスク及び第３の光ディスクに対応する場合に使用される第２の対物レンズ２３と、第１の対物レンズ１７と第２の対物レンズ２３とを、光ディスクに接離する方向であるフォーカス方向に移動可能とするアクチュエータと、を備える。第２の対物レンズ２３は、回折レンズとされて、第２の光ディスクに対応する場合の設計上の作動距離である第２の作動距離ＷＤ２と、第３の光ディスクに対応する場合の設計上の作動距離である第３の作動距離ＷＤ３とが接近するように設計されている。【選択図】図６
2012048777.tif 000002
【特許請求の範囲】
【請求項１】
互いに異なる波長の光を照射して使用される、第１の光ディスクと、第２の光ディスクと、第３の光ディスクとに対応可能な光ピックアップであって、
前記第１の光ディスクに対応する場合に使用される第１の波長の光を光ディスクの情報記録面に集光するための第１の対物レンズと、
前記第２の光ディスクに対応する場合に使用される第２の波長の光、及び、前記第３の光ディスクに対応する場合に使用される第３の波長の光を光ディスクの情報記録面に集光するための第２の対物レンズと、
前記第１の対物レンズと前記第２の対物レンズとを保持するレンズホルダを有し、前記レンズホルダを動かして前記第１の対物レンズ及び前記第２の対物レンズを、光ディスクに接離する方向であるフォーカス方向に移動可能とするアクチュエータと、を備え、
前記第２の対物レンズは、回折レンズとされて、前記第２の光ディスクに対応する場合の設計上の作動距離である第２の作動距離と、前記第３の光ディスクに対応する場合の設計上の作動距離である第３の作動距離とが接近するように設計されていることを特徴とする光ピックアップ。
【請求項２】
前記第２の光ディスクに対応する場合に必要な開口数を第２の開口数、前記第３の光ディスクに対応する場合に必要な開口数を第３の開口数とした場合に、前記第２の開口数は前記第３の開口数より大きく、
前記第２の対物レンズは、前記第３の波長の光を有限系入射させることによって前記第３の作動距離を伸ばして、前記第３の作動距離が前記第２の作動距離に接近するように設計されていることを特徴とする請求項１に記載の光ピックアップ。
【請求項３】
前記第２の作動距離と前記第３の作動距離とが差を有し、
前記第１の光ディスクに対応する場合の設計上の作動距離である第１の作動距離が、前記第２の作動距離と前記第３の作動距離との間に位置していることを特徴とする請求項１又は２に記載の光ピックアップ。
【請求項４】
前記第２の作動距離と前記第３の作動距離とが同一であり、
前記第１の光ディスクに対応する場合の設計上の作動距離である第１の作動距離が、前記第２の作動距離及び前記第３の作動距離と同一となっていることを特徴とする請求項１又は２に記載の光ピックアップ。
【請求項５】
前記第１の光ディスクに対応する場合に必要な開口数を第１の開口数、前記第２の光ディスクに対応する場合に必要な開口数を第２の開口数、前記第３の光ディスクに対応する場合に必要な開口数を第３の開口数とした場合に、前記第１の開口数、前記第２の開口数、前記第３の開口数の順に、開口数が小さくなることを特徴とする請求項１から４のいずれかに記載の光ピックアップ。
【発明の詳細な説明】
【技術分野】
【０００１】
本発明は、光ディスクに記録される情報の読み取りや光ディスクへの情報の書き込みを行う際に用いられる光ピックアップに関する。
【背景技術】
【０００２】
従来、ブルーレイディスク（以下ＢＤと記載）、デジタル多用途ディスク（以下ＤＶＤと記載）、コンパクトディスク（以下ＣＤと記載）といった３種類の光ディスクに対して、情報を読み取ったり、情報を書き込んだりすることが可能な光ピックアップが知られている（例えば、特許文献１や２参照）。
【０００３】
そして、このような光ピックアップの中には、例えば特許文献１や２に示されるように、光ディスクの種類によって切り換えて使用される２種類の対物レンズ（例えばＢＤ用の対物レンズと、ＤＶＤ及びＣＤ用の対物レンズとの２種類等）を備えるものがある。なお、ここで言う対物レンズは、光源から出射される光を光ディスクの情報記録面に集光するレンズのことである。
【０００４】
ところで、光ピックアップに備えられる対物レンズは、通常アクチュエータに搭載されて、光ディスクに接離する方向であるフォーカス方向に移動可能とされる。光ピックアップにおいては、情報の読み取り時や書き込み時に対物レンズの焦点位置が情報記録面から常に外れないように、このアクチュエータによってワーキングディスタンス（作動距離）を一定とする制御が行われる。
【０００５】
ここで、ワーキングディスタンス（ＷＤ；作動距離）とは、光ディスクに記録される情報の読み取りや光ディスクへの情報の書き込みが行われる対物レンズの動作状態において、光が入射する光ディスクの表面から対物レンズの最も近い面までの距離のことを指している。
【先行技術文献】
【特許文献】
【０００６】
【特許文献１】ＷＯ２００７／０４０２３５号公報
【特許文献２】特開２００８−７７７２１号公報
【発明の概要】
【発明が解決しようとする課題】
【０００７】
ＢＤ、ＤＶＤ、ＣＤに対応可能（読み取り及び／又は書き込み可能のことを指す。以下、同様）に設けられる光ピックアップにおいては、近年、市場から薄型化の要求が強い。これは、上述の２種類の対物レンズを備える光ピックアップにおいても例外ではない。２種類の対物レンズを備える光ピックアップの薄型化を検討する中で、以下のような点から対物レンズを駆動するアクチュエータの厚みが増大していることがわかった。
【０００８】
図９は、従来の２種類の対物レンズを備える光ピックアップの問題点を説明するための模式図である。従来の光ピックアップは、ＢＤ、ＤＶＤ及びＣＤに対応可能となっている。そして、この光ピックアップが備える２種類の対物レンズは、一方がＢＤ用の対物レンズ（図示せず）、他方がＤＶＤ及びＣＤ用（以下ではＤＶＤ／ＣＤ用と記載する場合がある）の対物レンズ１０１となっている。
【０００９】
ここで、ＤＶＤ／ＣＤ用の対物レンズ１０１に注目して説明する。ＤＶＤに対応する場合に必要とされる開口数（例えばＮＡ＝０．６）とＣＤに対応する場合に必要とされる開口数（例えばＮＡ＝０．４７）とは異なり、ＤＶＤに対応する場合に必要とされる開口数の方が大きい。このために、図９（ａ）に示すように、ＤＶＤ／ＣＤ用の対物レンズ１０１は、平行光を入射した場合の焦点位置について、ＤＶＤ用のレーザ光（例えば波長６５５ｎｍ）の方がＣＤ用のレーザ光（例えば波長７８０ｎｍ）に比べて対物レンズ１０１から離れた位置となるように通常設計される。
【００１０】
すなわち、従来の構成の光ピックアップでは、図９（ｂ）に示すように、ＣＤ対応時（読み取り及び／又は書き込み時のことを指す。以下、同様。）のワーキングディスタンスＷＤ３がＤＶＤ対応時のワーキングディスタンスＷＤ２に比べてかなり短くなる（図９（ｂ）では、その差をＤで示す）。このようにワーキングディスタンスに大きな差があると、ＤＶＤに対応する場合の対物レンズ１０１の駆動範囲と、ＣＤに対応する場合の対物レンズ１０１の駆動範囲とが重なる部分が減る。このために、アクチュエータは、対物レンズ１０１を駆動可能とする範囲（駆動ストローク）を大きくすることを要求されるようになる。そして、このことがアクチュエータの厚みを厚くする原因となる。
【００１１】
また、上記ワーキングディスタンスの大きな違い等が原因となって、２種類の対物レンズの配置について、レンズ上面（光ディスクに対向する面）の位置（高さ）を揃えられない場合があり、このこともアクチュエータの厚みを増大させる原因となっている。
【００１２】
以上の点に鑑みて、本発明の目的は、３種類の光ディスクに対応可能に設けられるとともに２つの対物レンズを備える光ピックアップの薄型化を図ることである。
【課題を解決するための手段】
【００１３】
上記目的を達成するために本発明の光ピックアップは、互いに異なる波長の光を照射して使用される、第１の光ディスクと、第２の光ディスクと、第３の光ディスクとに対応可能な光ピックアップであって、前記第１の光ディスクに対応する場合に使用される第１の波長の光を光ディスクの情報記録面に集光するための第１の対物レンズと、前記第２の光ディスクに対応する場合に使用される第２の波長の光、及び、前記第３の光ディスクに対応する場合に使用される第３の波長の光を光ディスクの情報記録面に集光するための第２の対物レンズと、前記第１の対物レンズと前記第２の対物レンズとを保持するレンズホルダを有し、前記レンズホルダを動かして前記第１の対物レンズ及び前記第２の対物レンズを、光ディスクに接離する方向であるフォーカス方向に移動可能とするアクチュエータと、を備え、前記第２の対物レンズは、回折レンズとされて、前記第２の光ディスクに対応する場合の設計上の作動距離である第２の作動距離と、前記第３の光ディスクに対応する場合の設計上の作動距離である第３の作動距離とが接近するように設計されていることを特徴としている。
【００１４】
なお、本明細書において、「設計上の作動距離（作動距離は上述のようにワーキングディスタンスと同じ意味である）」とは以下のような意味で用いている。光ディスクは、その種類によっては、厚み方向の異なる位置に複数の情報記録面を有するものがある。このような光ディスクに対応する場合には、実際には複数のワーキングディスタンスが用いられることになる。この点、本発明においては、厚み方向の異なる位置に複数の情報記録面を有する光ディスクが本発明の光ディスクに含まれる場合には、設計上、ワーキングディスタンスを或る１つの値に決めてしまうこととしている。このため、単に作動距離とは表現せずに、「設計上の作動距離」としている。上記或る１つの値の決め方は適宜決めればよく特に限定されるものではないが、例えば、複数の情報記録面のそれぞれに対応する場合におけるワーキングディスタンスを平均した値を「設計上のワーキングディスタンス」とすることができる。
【００１５】
本構成によれば、第２の対物レンズの設計により、設計上の第２の作動距離と設計上の第３の作動距離とが接近する構成となっている。このために、第２の光ディスク及び第３の光ディスクに対応するためにアクチュエータに要求されるトータルの駆動ストロークを短くすることが可能となる。したがって、アクチュエータの薄型化が可能となり、光ピックアップの薄型化を図れる。
【００１６】
上記構成の光ピックアップにおいて、前記第２の光ディスクに対応する場合に必要な開口数を第２の開口数、前記第３の光ディスクに対応する場合に必要な開口数を第３の開口数とした場合に、前記第２の開口数は前記第３の開口数より大きく、前記第２の対物レンズは、前記第３の波長の光を有限系入射させることによって前記第３の作動距離を伸ばして、前記第３の作動距離が前記第２の作動距離に接近するように設計されていることとしてもよい。この構成によれば、設計上の第２の作動距離と設計上の第３の作動距離とを接近させる構成を実現し易い。
【００１７】
上記構成の光ピックアップにおいて、前記第２の作動距離と前記第３の作動距離とが差を有し、前記第１の光ディスクに対応する場合の設計上の作動距離である第１の作動距離が、前記第２の作動距離と前記第３の作動距離との間に位置していることとしてもよい。また、別の構成として、上記構成の光ピックアップにおいて、前記第２の作動距離と前記第３の作動距離とが同一であり、前記第１の光ディスクに対応する場合の設計上の作動距離である第１の作動距離が、前記第２の作動距離及び前記第３の作動距離と同一となっていることとしてもよい。
【００１８】
このように構成すると、第１の光ディスクに対応する場合における第１の対物レンズの駆動範囲と、第２の光ディスク及び第３の光ディスクに対応する場合における第２の対物レンズの駆動範囲との重複部分を増やすことができる。この結果、アクチュエータに要求されるトータルの駆動ストロークを短く抑えられ、アクチュエータの薄型化を図ることが可能となる。また、アクチュエータに配置される第１の対物レンズの上面と第２の対物レンズの上面との高さ差を小さくし易く、この点からも薄型化に好適である。
【００１９】
上記構成の光ピックアップにおいて、前記第１の光ディスクに対応する場合に必要な開口数を第１の開口数、前記第２の光ディスクに対応する場合に必要な開口数を第２の開口数、前記第３の光ディスクに対応する場合に必要な開口数を第３の開口数とした場合に、前記第１の開口数、前記第２の開口数、前記第３の開口数の順に、開口数が小さくなることとしてもよい。このような構成を採用した具体例として、第１の光ディスクがＢＤであり、第２の光ディスクがＤＶＤであり、第３の光ディスクがＣＤである構成が挙げられ、この場合、本構成はレンズ設計がし易い等のメリットを有することになる。
【発明の効果】
【００２０】
本発明によれば、３種類の光ディスクに対応可能に設けられるとともに２つの対物レンズを備える光ピックアップの薄型化を図れる。
【図面の簡単な説明】
【００２１】
【図１】本実施形態の光ピックアップの構成を示す概略平面図
【図２】本実施形態の光ピックアップの光学構成を示す概略平面図
【図３】本実施形態の光ピックアップが備える対物レンズアクチュエータの構成を示す概略斜視図
【図４】本実施形態の光ピックアップが備える対物レンズアクチュエータのコイル構成を示す概略斜視図
【図５】本実施形態の光ピックアップが備える第２の対物レンズ（ＤＶＤ／ＣＤ用の対物レンズ）に第３の波長のレーザ光（ＣＤ用のレーザ光）が入射する場合の様子を示す模式図
【図６】本実施形態の光ピックアップにおいて、各光ディスクに対応する場合の設計上のワーキングディスタンスを示す模式図
【図７】本実施形態の光ピックアップが備える対物レンズアクチュエータの駆動ストロークについて説明するための模式図
【図８】本発明の変形例を説明するための図
【図９】従来の２種類の対物レンズを備える光ピックアップの問題点を説明するための模式図
【発明を実施するための形態】
【００２２】
以下、本発明の光ピックアップの実施形態について、図面を参照しながら詳細に説明する。なお、本実施形態の光ピックアップは、ＢＤ、ＤＶＤ、ＣＤに対応可能に設けられる。そして、ＢＤは本発明の第１の光ディスク、ＤＶＤは本発明の第２の光ディスク、ＣＤは本発明の第３の光ディスクに相当する。
【００２３】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤも併せて示している。
【００２４】
図１に示すように、本実施形態の光ピックアップ１は、ピックアップベース１０と、ピックアップベース１０上に固定配置される対物レンズアクチュエータ３０と、を備えた構成となっている。
【００２５】
ピックアップベース１０の左右の端部には軸受け部１０ａ、１０ｂが設けられている。ピックアップベース１０は、この軸受け部１０ａ、１０ｂによって、光ディスクＤの再生や記録を行うための装置である光ディスク装置に設けられるガイドシャフト１００（図１（ａ）に破線で示す）に摺動可能に支持されることになる。光ディスク装置に設けられるガイドシャフト１００は光ディスクＤの半径方向（ラジアル方向）に延びるように配置される。このため、ガイドシャフト１００に対して摺動可能とされる光ピックアップ１は、回転する光ディスクＤの所望のアドレスにアクセスして情報の読み取りや書き込みを行うことができる。
【００２６】
図２は、本実施形態の光ピックアップの光学構成を示す概略平面図である。第１のレーザダイオード（ＬＤ）１１から出射された第１の波長のレーザ光は、回折素子１２によって主光と２つの副光とに分けられる。回折素子１２を出射したレーザ光は偏光ビームスプリッタ１３によって反射され、１／４波長板１４及びコリメートレンズ１５を通過する。その後、第１の立ち上げミラー１６によって反射されて、第１の立ち上げミラー１６の上方にある第１の対物レンズ１７へと至る。第１の立ち上げミラー１６はダイクロイックミラーであり、第１のＬＤ１１から出射される第１の波長のレーザ光を反射する。
【００２７】
第１の対物レンズ１７は、入射したレーザ光を光ディスクＤの情報記録面ＲＳ（図１（ｂ）参照）に集光する機能を有する。第１の対物レンズ１７によって情報記録面ＲＳに集光されたレーザ光は情報記録面ＲＳで反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１８を順に透過し、センサーレンズ１９によって非点収差を与えられてフォトディテクタ２０に集光する。フォトディテクタ２０は受光した光信号を電気信号に変換する光電変換手段として機能する。
【００２８】
なお、第１のＬＤ１１は、本実施形態ではＢＤ対応のレーザ光源であり、波長４０５ｎｍ帯のレーザ光（第１の波長のレーザ光）を出射する。また、コリメートレンズ１５は、球面収差を補正できるようにする等の目的で、公知のレンズ駆動装置によって光軸方向（図２の矢印Ｍ方向）に移動できるようになっている。
【００２９】
第２のレーザダイオード（ＬＤ）２１は、第２の波長のレーザ光と第３の波長のレーザ光とを切り換えて出射できるようになっている。第２のＬＤ２１から出射されたレーザ光は、ビームスプリッタ１８によって反射され、偏光ビームスプリッタ１３を透過後、１／４波長板１４及びコリメートレンズ１５を通過する。また、ダイクロイックミラーとして構成される第１の立ち上げミラー１６も透過する。そして、第２の立ち上げミラー２２によって反射されて、第２の立ち上げミラー２２の上方にある第２の対物レンズ２３へと至る。
【００３０】
第２の対物レンズ２３は、入射したレーザ光を光ディスクＤの情報記録面ＲＳ（図１（ｂ）参照）に集光する機能を有する。第２の対物レンズ２３で情報記録面ＲＳに集光された後に反射された反射光（戻り光）は、第２の対物レンズ２３を通過後、第２の立ち上げミラー２２で反射され、第１の立ち上げミラー１６、コリメートレンズ１５、１／４波長板１４、偏光ビームスプリッタ１３、ビームスプリッタ１８、センサーレンズ１９を順に透過してフォトディテクタ２０に集光する。
【００３１】
なお、第２のＬＤ２１は、本実施形態ではＤＶＤ及びＣＤ対応のレーザ光源であり、波長６５０ｎｍ帯のレーザ光（ＤＶＤ用；第２の波長のレーザ光）と波長７８０ｎｍ帯のレーザ光（ＣＤ用；第３の波長のレーザ光）とを切り換えて出射可能となっている。すなわち、第２のＬＤ２１は２種類の光源を含む構成となっている。このようなレーザ光源は、例えばモノリシックタイプ或いはハイブリッドタイプの２波長レーザであってよい。
【００３２】
以上で説明した光学部品１１〜２３は、いずれもピックアップベース１０上に搭載されるが、第１の対物レンズ１７及び第２の対物レンズ２３は、ピックアップベース１０上に配置される対物レンズアクチュエータ３０に搭載された状態で、ピックアップベース１０に搭載されることになる。対物レンズアクチュエータ３０は、第１の対物レンズ１７及び第２の対物レンズ２３をフォーカス方向及びトラック方向に移動可能とするとともに、２つの対物レンズ１７、２３の光軸に対する傾き（ラジアル方向の傾き）を調整可能とする。
【００３３】
なお、フォーカス方向とは光ディスクＤに接離する方向であり、詳細には情報記録面ＲＳと略直交する方向である。また、トラック方向とは光ディスクＤの半径方向（ラジアル方向）と略平行な方向である。
【００３４】
ここで、図３及び図４を参照して、光ピックアップ１が備える対物レンズアクチュエータ３０の構成について説明しておく。図３は、本実施形態の光ピックアップが備える対物レンズアクチュエータの構成を示す概略斜視図である。図４は、本実施形態の光ピックアップが備える対物レンズアクチュエータのコイル構成を示す概略斜視図である。対物レンズアクチュエータ３０は、大きくは、ピックアップベース１０に固定配置される強磁性のアクトベース３１と、第１の対物レンズ１７と第２の対物レンズ２３を保持するレンズホルダ３２と、を備える。
【００３５】
なお、本実施形態では２つの対物レンズ１７、２３をタンジェンシャル方向（フォーカス方向Ｆとトラック方向Ｔとの両方に垂直な方向、（図１（ｂ）参照）に配置する構成としているが、これは一例である。すなわち、例えば２つの対物レンズ１７、２３をラジアル方向に配置する構成等としてもよい。
【００３６】
アクトベース３１上には、レンズホルダ３２を挟むようにタンジェンシャル方向に対称配置された、一対の永久磁石３３が立設されている。なお、対物レンズアクチュエータ３０においては、永久磁石３３によって作られる磁束を効率良く利用するために、アクトベース３１を折曲形成して得られるヨーク３７が永久磁石３３の外面側に磁着された構成となっている。
【００３７】
レンズホルダ３２には、片側に３本ずつ、両側で計６本となるワイヤ３４の各一端が固定されている。各ワイヤ３４の他端は、アクトベース３１に対して固定配置される回路基板３５に固定され、これにより、レンズホルダ３２はワイヤ３４によって片持ち支持された状態となり、アクトベース３１に対して揺動可能となっている。
【００３８】
なお、アクトベース３１のレンズホルダ３２の下側に該当する部分には図示しない貫通穴が形成されており、ＬＤ１１、２１から出射されたレーザ光がレンズホルダ３２に保持される対物レンズ１７、２３に入射されるようになっている。また、アクトベース３１上には、回路基板３５が固定されるゲルホルダ３６が固定配置されている。そして、その一端がレンズホルダ３２に固定されるワイヤ３４は、一部がゲルホルダ３６のゲル材充填部３６ａに挿通された状態で、他端を回路基板３５に固定されている。ゲル材充填部３６ａに充填されるゲル材は、対物レンズアクチュエータ３０の駆動に応じてワイヤ３４に生じた振動を減衰する役目を果たす。
【００３９】
また、レンズホルダ３２には、レンズホルダ３２の内部側壁に沿って配置されるフォーカスコイル３２１（図４参照）と、レンズホルダ３２の２つの外部側壁（永久磁石３３と対向する側壁）の対称位置に、それぞれ２つずつ配置される４つのトラックコイル３２２（図３及び図４参照）と、レンズホルダ３２の内部であってフォーカスコイル３２１の下部側に、トラック方向Ｔに対称配置される２つのチルトコイル３２３（図４参照）と、が取り付けられている。これら３種類のコイル３２１〜３２３のそれぞれは、いずれも略矩形状に巻回され、ワイヤ３４を介して回路基板３５から電流が供給されるようになっている。
【００４０】
フォーカスコイル３２１に電流が流れると、永久磁石３３によって作られる磁界との電磁気的な作用によって、電流が流れる向き及び電流の大きさに応じて、対物レンズ１７、２３はレンズホルダ３２と共にフォーカス方向Ｆに移動する。同様に、トラックコイル３２２に電流が流れると、その向き及び大きさに応じて、対物レンズ１７、２３はレンズホルダ３２と共にトラック方向Ｔに移動する。
【００４１】
また、チルトコイル３２３に電流が流れると、その向き及び大きさに応じて、対物レンズ１７、２３は、レンズホルダ３２と共にフォーカス方向Ｆ及びトラック方向Ｔに直交する軸（図３に破線で示す）の軸回り方向Ｒに回転する。この回転によって、対物レンズ１７のラジアル方向の傾き（チルト）調整が可能となる。
【００４２】
本実施形態の光ピックアップ１の概略構成は以上のようである。次に、本実施形態の光ピックアップ１の特徴的な構成について説明する。ここでいう特徴的な構成とは、対物レンズアクチュエータ３０の厚みを薄くするために導入された構成のことである。
【００４３】
図５は、本実施形態の光ピックアップが備える第２の対物レンズ（ＤＶＤ／ＣＤ用の対物レンズ）に第３の波長のレーザ光（ＣＤ用のレーザ光）が入射する場合の様子を示す模式図である。なお、図５に一点鎖線で示す光は比較用に示したもので、図９（ａ）（従来の光ピックアップ）に示すＣＤ用のレーザ光（平行光入射）が対物レンズ１０１を通過する場合と同一の状態を示すものである。
【００４４】
図５に示すように、本実施形態の光ピックアップ１では、第２の対物レンズ２３にＣＤ用のレーザ光を発散光で入射させることにより、焦点位置が図９（ａ）に示した従来の構成の場合に比べて伸びるように第２の対物レンズ２３は設計されている。一方、第２の対物レンズ２３における、ＤＶＤ用のレーザ光（第２の波長のレーザ光）に対する設計は図９（ａ）に示すのと同様の設計であり、ＤＶＤ用のレーザ光が平行光で入射した場合の焦点位置は、従来の構成の場合と変わらないようになっている。
【００４５】
すなわち、第２の対物レンズ２３は、使用開口数が低い（ＮＡ＝０．４７）ＣＤ用のレーザ光に対しては有限系設計とされ、使用開口数が高い（ＮＡ＝０．６）ＤＶＤ用のレーザ光に対しては無限系設計とされている。このような構成は、第２の対物レンズ２３を回折レンズとし、レンズに形成する回折パターンを調整することによって得られる。
【００４６】
上述の構成を採用することにより、具体的には、第２の対物レンズ２３は、ＤＶＤに対応する場合の設計上のワーキングディスタンスＷＤ２（本発明の第２の作動距離）と、ＣＤに対応する場合の設計上のワーキングディスタンスＷＤ３（本発明の第３の作動距離）とが接近し、その格差が僅かになっている（換言すると、両者はほぼ等しくなっている）。
【００４７】
ここで、本実施形態では、ＤＶＤには光ディスクＤの表面（光ピックアップ１に向き合う側の面）から例えば０．６ｍｍの位置に情報記録面があるものとして設計上のワーキングディスタンスＷＤ２を決定している。また、ＣＤには光ディスクＤの表面から例えば１．２ｍｍの位置に情報記録面があるものとして設計上のワーキングディスタンスＷＤ２を決定している。
【００４８】
図６は、本実施形態の光ピックアップにおいて、各光ディスクに対応する場合の設計上のワーキングディスタンスを示す模式図である。この図６と図９（ｂ）を比較してわかるように、第２の対物レンズ２３の構成を従来の構成から設計変更することで、ＤＶＤに対応する場合の設計上のワーキングディスタンスＷＤ２とＣＤに対応する場合の設計上のワーキングディスタンスＷＤ３とが、従来に比べて接近し（ｄ＜Ｄ）、その差が僅かとなっていることがわかる。
【００４９】
なお、本実施形態の光ピックアップ１では、上述のように、コリメートレンズ１５が光軸方向に可動する構成となっている。このために、コリメートレンズ１５の位置を調整することで、第２の対物レンズ２３への入射光（ＤＶＤ用のレーザ光又はＣＤ用のレーザ光）を無限系入射としたり、有限系入射としたりできるようになっている。
【００５０】
図６に示すように、本実施形態の光ピックアップ１では、第１の波長のレーザ光（ＢＤ用のレーザ光）が入射する第１の対物レンズ１７（ＢＤ用の対物レンズ；開口数０．８５）について、設計上のワーキングディスタンスＷＤ１が、ＤＶＤに対応する場合の設計上のワーキングディスタンスＷＤ２とＣＤに対応する場合の設計上のワーキングディスタンスＷＤ３との中間値となるように、そのレンズ設計及び位置決めが行われている。
【００５１】
ＤＶＤに対応する場合の設計上のワーキングディスタンスＷＤ２とＣＤに対応する場合の設計上のワーキングディスタンスＷＤ３との差がｄである。このため、ＢＤに対応する場合の設計上のワーキングディスタンスＷＤ１は、ＤＶＤに対応する場合の設計上のワーキングディスタンスＷＤ２との差の絶対値、及び、ＣＤに対応する場合の設計上のワーキングディスタンスＷＤ３との差の絶対値がいずれもｄ/２となっている（図６参照）。
【００５２】
ここで、ＢＤに対応する場合の設計上のワーキングディスタンスＷＤ１について説明しておく。ＢＤは、その規格によって、光ディスクＤの表面からの距離が異なる２つの情報記録層、Ｌ０層（表面からの距離０．１ｍｍ）とＬ１層（表面からの距離０．０７５ｍｍ）とを有するものがある。この点を考慮して、本実施形態では、設計上のワーキングディスタンスＷＤ１は、第１の対物レンズ１７に平行光を入射した場合に、２つの情報記録層Ｌ０、Ｌ１の中間位置に焦点が合う位置で決めている。
【００５３】
図７は、本実施形態の光ピックアップが備える対物レンズアクチュエータの駆動ストロークについて説明するための模式図である。図７（ａ）は、本実施形態の構成で必要となる駆動ストロークを示し、図７（ｂ）は本実施形態の効果を説明するための比較用の図で、本実施形態の構成を採用しない場合に必要となる駆動ストロークの一例を示したものである。図７において、矢印の幅が各光ディスクＤにおいて必要となる駆動ストローク（駆動範囲）である。矢印上の黒丸は駆動範囲の中心位置である。
【００５４】
図７に示すように、本実施形態の光ピックアップ１では、ＤＶＤに対応する場合の設計上のワーキングディスタンスＷＤ２とＣＤに対応する場合の設計上のワーキングディスタンスＷＤ３とが接近している。このため、ＤＶＤの場合に必要とされる駆動範囲とＣＤの場合に必要とされる駆動範囲の重複部分を増やすことができる。この結果、これらの光ディスクＤに対応するために必要となるトータルの駆動ストロークを短くできる。
【００５５】
また、ＢＤに対応する場合の設計上のワーキングディスタンスＷＤ１を、上記ＷＤ２とＷＤ３との差を小さくした上で、その中間位置となるようにしているために、駆動範囲の重複部分を増やすことができ、ＢＤ、ＤＶＤ、ＣＤの全てに対応するために必要となるトータルの駆動ストロークを短くすることも可能となっている。また、第１の対物レンズ１７と第２の対物レンズ２３とのレンズ上面の高さの差をなくして揃えた状態でレンズホルダ３２に配置しやすくなっている。実際に、光ピックアップ１では、２つの対物レンズ１７、２３は、前記高さの差はなくしてレンズホルダ３２に取り付けられている。
【００５６】
以上のように、本実施形態の光ピックアップ１が備える対物レンズアクチュエータ３０は、要求される駆動ストロークを低減できるとともに、２つの対物レンズ１７、２３の上面の高さ差を低減できるので薄型化が可能である。また、ＢＤ、ＤＶＤ及びＣＤに対応する場合のワーキングディスタンスの差を小さくしつつ、対物レンズ１７、２３の駆動ストローク（駆動範囲）を短くできるために、対物レンズアクチュエータ３０で発生するＤＣチルトを低減することも可能である。そして、これにより、各光ディスクＤに対応する場合に発生するコマ収差の差を低減することも可能となる。
【００５７】
以上に示した実施形態は本発明の一例であり、本発明の光ピックアップは以上に示した構成に限定されるものではない。
【００５８】
例えば、以上に示した実施形態では、第２の対物レンズ２３において、ＤＶＤに対応する場合の設計上のワーキングディスタンスＷＤ２と、ＣＤに対応する場合の設計上のワーキングディスタンスＷＤ３とが僅かに差を有する構成となっているが、この両者は一致させても勿論構わない。この場合、ＢＤに対応する場合の設計上のワーキングディスタンスＷＤ１も、ＷＤ２、ＷＤ３に一致させればよい。
【００５９】
また、以上に示した実施形態では、ＢＤに対応する場合の設計上のワーキングディスタンスＷＤ１が、ＤＶＤに対応する場合の設計上のワーキングディスタンスＷＤ２とＣＤに対応する場合の設計上のワーキングディスタンスＷＤ３との中間値となるようにした。しかし、ＷＤ２とＷＤ３とが接近しているために、必ずしも中間値でなく、ＷＤ２とＷＤ３の間であれば、他の値としても構わず、この場合にも対物レンズアクチュエータ３０の薄型化が期待できる。
【００６０】
また、以上に示した実施形態では、ＤＶＤに対応する場合の設計上のワーキングディスタンスＷＤ２と、ＣＤに対応する場合の設計上のワーキングディスタンスＷＤ３とを接近させるための構成として、ＣＤ用のレーザ光の焦点位置を伸ばす構成を採用したが、これに限定される趣旨ではない。例えば、ＤＶＤ用のレーザ光の焦点位置を短くする構成を採用したり、ＤＶＤ用のレーザ光の焦点位置を短くしつつ、ＣＤ用のレーザ光の焦点位置を伸ばす構成を採用したりしても構わない。
【００６１】
また、以上に示した実施形態では、２種類の光ディスクＤに対応する対物レンズがＤＶＤ及びＣＤに対応する構成とした。しかし、これに限らず、２種類の光ディスクＤに対応する対物レンズが、ＢＤ及びＤＶＤであったり、ＢＤ及びＣＤであったりしても、本発明は適用可能である。
【００６２】
また、以上に示した実施形態では、光ピックアップ１の光学構成として、ＢＤに対応する場合とＤＶＤ／ＣＤに対応する場合とで、一部の光学部品が共有される構成としたが、この構成に限定されない。すなわち、ＢＤに対応する場合の光学系とＤＶＤ／ＣＤに対応する場合の光学系とを、図８に示すように別々の光学系としても構わない。図８において、図２と同一の符号は同一の光学部品を指す。図８において、２４は第１のコリメートレンズ、２５は第１のセンサーレンズ、２６は第１のフォトディテクタ、２７は第２のコリメートレンズ、２８は第２のセンサーレンズ、２９は第２のフォトディテクタである。なお、第１の立ち上げミラー１６は単なる反射ミラーでダイクロイックミラーではない。
【００６３】
また、以上に示した実施形態では、光ピックアップがＢＤ、ＤＶＤ及びＣＤの３種類に対応する構成としたが、これに限定されず、本発明における光ディスクの種類は適宜変更可能である。更に、対物レンズアクチュエータ３０の構成も一例であり、その構成は適宜変更可能である。そして、場合によっては、対物レンズを保持するレンズホルダを軸摺軸に対して摺動させることによって対物レンズをフォーカス方向やトラッキング方向に移動させるアクチュエータ（いわゆる軸摺動型のアクチュエータ）等であっても構わない。
【産業上の利用可能性】
【００６４】
本発明は、３種類の光ディスクに対応可能に設けられるとともに２つの対物レンズを備える光ピックアップに有用である。
【符号の説明】
【００６５】
１  光ピックアップ
１７  第１の対物レンズ
２３  第２の対物レンズ
３０  対物レンズアクチュエータ
３２  レンズホルダ
Ｄ  光ディスク（光記録媒体）
ＲＳ  情報記録面
ＷＤ１  第１の作動距離
ＷＤ２  第２の作動距離
ＷＤ３  第３の作動距離
【図１】
2012048777.tif 000003
【図２】
2012048777.tif 000004
【図３】
2012048777.tif 000005
【図４】
2012048777.tif 000006
【図５】
2012048777.tif 000007
【図６】
2012048777.tif 000008
【図７】
2012048777.tif 000009
【図８】
2012048777.tif 000010
【図９】
2012048777.tif 000011